【手続補正書】
【提出日】平成24年5月7日(2012.5.7)
【手続補正１】
【補正対象書類名】特許請求の範囲
【補正対象項目名】全文
【補正方法】変更
【補正の内容】
【特許請求の範囲】
【請求項１】
少なくとも２つのスライドカードを受容する外側スリーブであって、
一対の対向する第１及び第２側面パネルと、
前記第１及び第２側面パネルと間隔をあけて平行な関係にあり、前記第１及び第２側面パネル間に配置された区分構造体と、
前記第１及び第２側面パネルと前記区分構造体とを相互接続する複数の折曲可能接続パネルであって、第１チャンバが前記第１側面パネルと前記区分構造体との間に画定され、少なくとも一方の側面パネルにおいてスライド可能にかつロック可能に受容し、第２チャンバが前記第２側面パネルと前記区分構造体との間に画定され、少なくとも一方の側面パネルにおいてスライド可能にかつロック可能に受容する、複数の折曲可能接続パネルと、
前記第１及び第２チャンバそれぞれの内側に少なくとも部分的に位置付けられる一対の内側パネルであって、前記内側パネルそれぞれが、少なくとも一方の前記スライドカードを前記第１及び第２チャンバそれぞれ内においてロック位置で解放可能にロックするためのスライドカードロック機構を有する、一対の内側パネルと、
を備え、
前記第１及び第２チャンバそれぞれが、閉鎖端と対向する開口端とを有し、
前記第２チャンバの前記開口端が、当該外側スリーブの他端に位置することを特徴とする外側スリーブ。
【請求項２】
前記第１及び第２側面パネルそれぞれが、一対の対向する側縁部と一対の対向する端縁部とによって画定され、
前記第１側面パネルの一方の前記側縁部が、少なくとも１つの前記折曲可能接続パネルを介して前記第２側面パネルの一方の前記側縁部に折曲可能に接続されることを特徴とする請求項１に記載の外側スリーブ。
【請求項３】
前記第１チャンバにある前記内側パネルが、少なくとも２つの前記折曲可能接続パネルを介して前記第１側面パネルの他方の前記側縁部に折曲可能に接続され、
前記第２チャンバにある前記内側パネルが、少なくとも２つの前記折曲可能接続パネルを介して前記第２側面パネルの他方の前記側縁部に折曲可能に接続されることを特徴とする請求項２に記載の外側スリーブ。
【請求項４】
前記区分構造体が、対面接触する関係で配置された一対の区分パネルを備え、
前記第１チャンバにある前記内側パネルが、一方の前記区分パネルをさらに介して前記第１側面パネルに折曲可能に接続され、
前記第２チャンバにある前記内側パネルが、他方の前記区分パネルをさらに介して前記第２側面パネルに折曲可能に接続されることを特徴とする請求項３に記載の外側スリーブ。
【請求項５】
前記区分構造体が、対面接触する関係で配置された一対の区分パネルを備え、
一方の前記区分パネルと前記第１側面パネルとが、第１スリーブユニットを形成するために少なくとも２つの前記折曲可能接続パネルによって相互接続され、
他方の前記区分パネルと前記第２側面パネルとが、第２スリーブユニットを形成するために少なくとも２つの前記折曲可能接続パネルによって相互接続され、
前記第１及び第２スリーブユニットが、前記第１及び第２チャンバそれぞれを画定することを特徴とする請求項１に記載の外側スリーブ。
【請求項６】
前記第１スリーブユニットにおける少なくとも２つの前記折曲可能接続パネルのうちの１つが、前記第２スリーブユニットにおける少なくとも２つの前記折曲可能接続パネルのうちの１つに折曲可能に接続され、前記第１及び第２スリーブユニットが、互いに折曲可能に接続されることを特徴とする請求項５に記載の外側スリーブ。
【請求項７】
前記第１及び第２側面パネルそれぞれが、前記内側パネルそれぞれの前記スライドカードロック機構に近接して位置付けられる解放ボタンを有することを特徴とする請求項１に記載の外側スリーブ。
【請求項８】
複数のスライドカードを収容するための外側スリーブを形成するブランクであって、
複数の折曲可能接続パネルと、
少なくとも１つの前記折曲可能接続パネルによって折曲可能に相互接続された一対の第１及び第２側面パネルと、
少なくとも１つの区分パネルであって、前記折曲可能接続パネルによって、前記第１及び第２側面パネルによって、及び少なくとも１つの当該区分パネルによって、別個の第１及び第２チャンバを画定するように当該ブランクを外側スリーブの形態に組み立てると、前記第１及び第２側面パネル間に配置される、少なくとも１つの区分パネルと、
当該ブランクが前記外側スリーブの形態を取ると前記第１及び第２チャンバそれぞれの内側に少なくとも部分的に位置付けられる一対の内側パネルであって、当該内側パネルそれぞれが、前記第１及び第２チャンバそれぞれ内においてロック位置にある少なくとも１つの前記スライドカードを解放可能にロックするためのスライドカードロック機構を有する、一対の内側パネルと、
を備え、
一方の前記内側パネルの前記スライドカードロック機構が、当該ブランクの対向する長手方向縁部の一方に沿う位置に位置し、
他方の前記内側パネルの前記スライドカードロック機構が、当該ブランクの対向する長手方向縁部の他方に沿う位置に位置することを特徴とするブランク。
【請求項９】
前記第１及び第２側面パネルそれぞれが、当該ブランクが前記外側スリーブの形態を取ると前記内側パネルそれぞれの前記スライドカードロック機構に近接して位置付けられる解放ボタンを有することを特徴とする請求項８に記載のブランク。
【請求項１０】
前記第１及び第２側面パネルそれぞれが、一対の対向する側縁部と一対の対向する端縁部とによって画定され、
前記第１側面パネルの一方の前記側縁部が、少なくとも１つの前記折曲可能接続パネルを介して前記第２側面パネルの一方の前記側縁部に折曲可能に接続されることを特徴とする請求項８に記載のブランク。
【請求項１１】
一方の前記内側パネルが、少なくとも２つの前記折曲可能接続パネルを介して前記第１側面パネルの他方の前記側縁部に折曲可能に接続され、
他方の前記内側パネルが、少なくとも２つの前記折曲可能接続パネルを介して前記第２側面パネルの他方の前記側縁部に折曲可能に接続されることを特徴とする請求項１０に記載のブランク。
【請求項１２】
少なくとも１つの前記区分パネルが、一対の区分パネルを備え、
一方の前記内側パネルが、一方の前記区分パネルをさらに介して前記第１側面パネルに折曲可能に接続され、
他方の前記内側パネルが、他方の前記区分パネルをさらに介して前記第２側面パネルに折曲可能に接続されることを特徴とする請求項１１に記載のブランク。
【請求項１３】
少なくとも１つのスライドカードを受容する外側スリーブであって、
一対の対向する第１及び第２側面パネルであって、当該第１及び第２側面パネルそれぞれが、一対の対向する側縁部とそれぞれが前記側縁部間に延在する一対の対向する端縁部とによって画定される、第１及び第２側面パネルと、
前記第１及び第２側面パネルを相互接続する複数の折曲可能接続パネルであって、少なくとも１つのチャンバが、少なくとも１つの前記スライドカードをスライド可能にかつロック可能に受容するために、前記第１及び第２側面パネル間に区画され、少なくとも１つの当該折曲可能接続パネルが、少なくとも１つの前記第１及び第２側面パネルの対向する一方の前記側縁部に沿って少なくとも１つの前記第１及び第２側面パネルに折曲可能に接続される、複数の折曲可能接続パネルと、
少なくとも１つの前記チャンバの内側で少なくとも部分的に位置付けられる少なくとも１つの内側パネルであって、少なくとも１つの当該内側パネルが、少なくとも１つの前記チャンバ内において少なくとも１つの前記スライドカードを解放可能にロックするためのスライドカードロック機構を有する、少なくとも１つの内側パネルと、
を備え、
少なくとも１つの第１及び第２側面パネルが、少なくとも１つの前記内側パネルの前記スライドカードロック機構に近接して位置する解放ボタンを有し、
少なくとも１つの前記内側パネルが、少なくとも１つの前記第１及び第２側面パネルの一方の前記端縁部に折曲可能に接続されることを特徴とする外側スリーブ。
【請求項１４】
少なくとも１つの前記内側パネルには、少なくとも１つの前記第１及び第２側面パネルの一方の前記端縁部に直接接続されるミシン目が入れられた延長パネルが設けられており、
ミシン目が入れられた前記延長パネルが、当該外側スリーブの端部閉鎖構造体の少なくとも一部を形成する少なくとも１つのセクションを有することを特徴とする請求項１３に記載の外側スリーブ。
【請求項１５】
少なくとも１つのスライドカードを収容するための外側スリーブを形成するブランクであって、
一対の対向する第１及び第２側面パネルであって、当該第１及び第２側面パネルそれぞれが、一対の対向する側縁部とそれぞれが前記側縁部間に延在する一対の対向する端縁部とによって画定される、第１及び第２側面パネルと、
複数の折曲可能接続パネルであって、少なくとも１つの前記折曲可能接続パネルが、前記第１及び第２側面パネルを相互接続し、少なくとも１つのチャンバが、当該ブランクが前記外側スリーブを形成すると少なくとも１つの前記スライドカードをスライド可能にかつロック可能に受容するために、前記第１及び第２側面パネル間に区画され、少なくとも１つの当該折曲可能接続パネルが、少なくとも１つの前記第１及び第２側面パネルの対向する一方の前記側縁部に沿って少なくとも１つの前記第１及び第２側面パネルに折曲可能に接続される、複数の折曲可能接続パネルと、
当該ブランクが前記外側スリーブを形成すると少なくとも１つの前記チャンバの内側で少なくとも部分的に位置付けられる少なくとも１つの内側パネルであって、少なくとも１つの当該内側パネルが、少なくとも１つの前記チャンバ内において少なくとも１つの前記スライドカードを解放可能にロックするためのスライドカードロック機構を有する、少なくとも１つの内側パネルと、
を備え、
少なくとも１つの第１及び第２側面パネルが、当該ブランクが前記外側スリーブを形成すると少なくとも１つの前記内側パネルの前記スライドカードロック機構に近接して位置付けられる解放ボタンを有し、
少なくとも１つの前記内側パネルが、少なくとも１つの前記第１及び第２側面パネルの一方の前記端縁部に折曲可能に接続されることを特徴とするブランク。
【請求項１６】
少なくとも１つの前記内側パネルには、ミシン目が入れられた延長パネルが設けられており、
前記延長パネルが、少なくとも１つの前記第１及び第２側面パネルの一方の前記端縁部に直接接続され、
ミシン目が入れられた前記延長パネルが、当該外側スリーブの端部閉鎖構造体の少なくとも一部を形成するための少なくとも１つのセクションを有することを特徴とする請求項１５に記載のブランク。